(57)【要約】【課題】外部認識票を、使用時には第三者が視認できる位置に固定し、非使用時には紛失することのなく第三者が視認できない位置に収納可能とする。【解決手段】腕章３を収納するための収納ポケット２１を有する仕事着１において、前記腕章３を前記収納ポケット２１に連結する連結手段としての弾性帯状体３１と、前記腕章３を前記収納ポケット２１に導き入れる導入手段としての弾性帯状体３１と、前記腕章３を前記収納ポケット２１から引き出したときに前記連結手段（弾性帯状体３１）によって連結された状態で固定する固定手段（腕側固定部１２、腕章側固定部１３）と、を備えた。【選択図】図６
2017179618.tif 000002
【特許請求の範囲】
【請求項１】
外部認識票を収納するための収納部を有する上着において、
前記外部認識票を前記収納部に連結する連結手段と、
前記外部認識票を前記収納部に導き入れる導入手段と、
前記外部認識票を前記収納部から引き出したときに前記連結手段によって連結された状態で固定する固定手段と、
を備えたことを特徴とする上着。
【請求項２】
請求項１に記載の上着において、
前記収納部が前記上着の腕部に設けられた収納ポケットであり、
前記連結手段が前記外部認識票と前記収納部の奥側の部分とを繋げる弾性帯状体であり、
前記導入手段が前記外部認識票を前記収納部の奥側に引き込む前記弾性帯状体である
ことを特徴とする上着。
【請求項３】
請求項２に記載の上着において、
前記外部認識票が腕章であることを特徴とする上着。
【請求項４】
請求項３に記載の上着において、
前記腕章が表示片を収納可能な袋部を備え、
前記袋部の表側が透明性を有する部材からなることを特徴とする上着。
【請求項５】
請求項１に記載の上着において、
前記収納部が前記上着の腕部に設けられた収納ポケットであり、
前記連結手段および前記導入手段が、前記外部認識票が嵌まり込んで前記収納部の奥側まで案内するガイドであることを特徴とする上着。
【請求項６】
請求項１に記載の上着において、
前記固定手段が、
前記収納部の開口部から離れた位置に設置された先端側固定部、および前記開口部の側から前記先端側固定部の側に渡って設置された本体側固定部と、
前記先端側固定部および前記本体側固定部に固定される前記外部認識票の先端側固定部および本体側固定部と、
からなることを特徴とする上着。
【請求項７】
請求項１に記載の上着において、
前記収納部が前記上着の胸部に設けられた胸ポケットであり、
前記連結手段が前記外部認識票と前記収納部の奥側の部分とを繋げる弾性帯状体であり、
前記導入手段が前記外部認識票を前記収納部の奥側に引き込む前記弾性帯状体であることを特徴とする上着。
【請求項８】
請求項７に記載の上着において、
前記固定手段が前記胸ポケットの開口部の上側に設けられた胸側固定部と、前記外部認識票の裏面に設けられた外部認識票側固定部とからなることを特徴とする上着。
【発明の詳細な説明】
【技術分野】
【０００１】
本発明は、上着に関し、さらに詳しくは腕章、名札、識別票などの外部認識票を使用時には上着に止め、非使用時には内部に収納する上着に関する。
【背景技術】
【０００２】
電気工事や建設工事など作業現場の多くでは着用者の役目、所属等を明らかにするため、各種の腕章の装着が要求されている。しかし、腕章の装着は現場作業時のみが基本であり、休憩時や作業場を離れる際には腕章を取り外す、若しくは見えなくする必要がある。また、作業者や社員を他者と識別するための名札あるいは識別票では、ピンで留め、あるいは紐で首からぶら下げるなどの方法がとられていた。この場合も、休憩時や作業場を離れる際には取り外し、あるいは見えなくするようにしている。
【０００３】
前者の腕章に関しては、例えば実開平２−１０４１１号公報（特許文献１）に、この問題を解決するため、腕章上部を作業着に縫い付け、作業中は責任者などの表示が表となり、作業場から離れる場合は腕章を裏返し、ボタンなどで固定して作業者票が見えないようにした腕章付き仕事着が開示されている。
【先行技術文献】
【特許文献】
【０００４】
【特許文献１】実開平２−１０４１１号公報
【発明の概要】
【発明が解決しようとする課題】
【０００５】
しかし、前記公知文献に開示された腕章付き作業着では、腕章を捲り上げて裏返している際、腕章と作業着によって上方向に袋部が形成され、また、上部にカバーなどがないため、前記袋部に雨水、塵あるいは埃等が溜まってしまう。そのため、使用する際に表側に返すと、溜まっていた水、塵、埃などが表にでてきて、作業着を濡らし、あるいは塵、埃を顔前に舞わせ不衛生になるという問題がある。また、腕章使用時には腕章を固定する手段がないため、腕章が捲くり上がるもしくは折れ曲がる事で腕章が確認し辛くなるという問題点がある。さらに、後者の名札、識別票などでは、見えなくするため、ピンを外し、あるいは紐を首から外すと、紛失するおそれが出てくる。
【０００６】
そこで、本発明が解決しようとする課題は、腕章、名札、識別票などの外部認識票を、使用時には第三者が視認できる位置に固定し、非使用時には紛失することのなく第三者が視認できない位置に収納可能な上着を提供することにある。
【課題を解決するための手段】
【０００７】
前記課題を解決するため、本発明の一態様は、外部認識票を収納するための収納部を有する上着において、前記外部認識票を前記収納部に連結する連結手段と、前記外部認識票を前記収納部に導き入れる導入手段と、前記外部認識票を前記収納部から引き出したときに前記連結手段によって連結された状態で固定する固定手段と、を備えたことを特徴とする。
【発明の効果】
【０００８】
本発明の一態様によれば、腕章、名札、識別票などの外部認識票を、使用時には第三者が視認できる位置に固定し、非使用時には紛失することのなく第三者が視認できない位置に収納可能な上着を提供することができる。
【図面の簡単な説明】
【０００９】
【図１】本発明の実施例１に係る仕事着の要部正面図で、腕章を収納した状態を示す。
【図２】図１の背面図である。
【図３】図２のＡ−Ａ線断面図である。
【図４】腕章を引き出して腕側固定部に固定したときの仕事着の要部正面図である。
【図５】図４の背面図である。
【図６】図５のＢ−Ｂ線断面図である。
【図７】腕章を引き出したときの腕章と弾性帯状体の状態を示す正面図である。
【図８】図７の腕章を背面から見た図である。
【図９】腕章の他の例を示す正面図である。
【図１０】本発明の実施例２に係る仕事着の要部正面図で、識別票が表に出ている状態を示す。
【図１１】実施例２に係る仕事着の要部正面図で、識別票が胸ポケット内に収納された状態を示す。
【図１２】図１０の胸ポケット内の状態を示す正面図である。
【図１３】図１１の胸ポケット内の状態を示す正面図である。
【発明を実施するための形態】
【００１０】
本発明の実施形態に係る上着は、休憩するとき、作業場を離れるとき、使用しないときに、腕章を外さずに仕事着に設けられた収納ポケットに容易に収納し、休憩終了時および作業再開時には容易に再び装着可能としたものである。以下、図面を参照し、本発明の実施形態について実施例を挙げて説明する。
【実施例１】
【００１１】
実施例１は、上着の腕部に腕章を収納可能に取り付けた例である。図１は実施例１に係る上着としての仕事着の要部正面図、図２は要部背面図である。本実施例１に係る仕事着１の左側の腕部１１の腕章使用時に腕章３を装着する個所に腕章３を固定するための腕側固定部１２が設けられている。腕側固定部１２は腕章３の装着時に腕部１１の装着位置から腕章３が外れることを防止するためのものである。また、腕章３を腕部１１に密着させるためのものでもある。腕側固定部１２には、例えば、腕章３を固定する手段として面ファスナーが離脱不能に取り付けられている。
【００１２】
一方、腕章３側にも対となる腕章側固定部１３としての面ファスナーが取り付けられており（図８）、両者の組み合わせで、腕章３は腕側固定部１２に離脱可能に固定できるようになっている。腕側固定部１２は、腕部１１の長手方向に平行に正面側に設けられた先端側面ファスナー１２ａと、本体側面ファスナー１２ｂの２つの部分から構成されている。なお、腕側固定部１２で腕章３を固定する手段としては、本実施形態のように面ファスナー１２ａ，１２ｂが好ましいが、ホックのように離脱可能に固定できるものであればよい。
【００１３】
また、腕部１１の背面側の本体側面ファスナー１２ｂの長手方向の延長上には、腕章３を収納するための引き出し口２と、この引き出し口２に続く収納ポケット２１が設けられている。引き出し口２は開放したままでも良いが、ファスナーによって開閉可能となっている。なお、ファスナーに代えてボタンやホックなどでもよく、収納ポケット２１の開口部である引き出し口２を開閉可能に閉鎖できるものであればよい。
【００１４】
図３は図２のＡ−Ａ線断面図である。図３から分かるように引き出し口２の内側には収納ポケット２１が設けられている。腕章３は引き出し口２から収納ポケット２１の中に収納可能であり、腕章３の使用時には収納ポケット２１から引き出し、腕側固定部１２に固定して使用する。腕章３は収納ポケット２１の奥で伸縮自在な弾性体、例えばゴムからなる弾性帯状体３１に繋がっており、収納ポケット２１は腕部１１の内側に固定され、常に腕章３の収納空間（収納長さ）が確保されている。収納ポケット２１の腕部１１への固定方法としては縫い付け、接着、融着などの手段が取られる。なお、収納ポケット２１は腕部１１の外側に設けられていても良い。また、弾性帯状体３１の収納ポケットへの取り付けには、縫い付け、面ファスナー、ホック、あるいはボタンなどの手段が使用される。
【００１５】
収納ポケット２１の内部の長さは腕章３の長手方向が完全に収まる長さ、例えば、図３から分かるように腕部１１の外周寸法のほぼ半分の長さに設定されている。これにより、引き出したときに腕部１１のほぼ半分を覆い、収納したときには全てが収納ポケット２１内に収まる。
【００１６】
図４は腕章３を引き出して腕側固定部１２に固定したときの仕事着１の要部正面図、図５は要部背面図、図６は図５のＢ−Ｂ線断面図である。図４および図５に示すように、腕章３を引き出し口２から引き出し、腕側固定部１２で腕章３を表示する。その際、図３の収納状態から弾性帯状体３１の弾性力に抗して、引き出し口２から先端側面ファスナー１２ａの位置まで腕章３を引き出し、腕章３の先端（自由端）側を先端側面ファスナー１２ａに固定する。その状態で腕章３の本体部を本体側面ファスナー１２ｂに押し付けると、面ファスナーの一方の面が相手側の面ファスナーの他方に引っ掛かって腕章３の本体部が本体側面ファスナー１２ｂに固定される。この状態が図４ないし図６に図示された使用状態であり、腕章３の表示部３３ｂが外部から良好に視認できる。
【００１７】
腕章３の非使用時には、腕章３を収納ポケット２１に収納する。腕章３の収納時には、腕側固定部１２から腕章３を取り外すと、弾性帯状体３１が腕章３を収納ポケット２１内に引き込み、自動的に収納される。弾性帯状体３１は、腕章３の全体を引き込み、収納できるだけの弾性を有し、引き出して腕側固定部１２に固定するときには、ほぼ腕部１１の半周分伸びるだけの伸縮性を備えている。
【００１８】
図７は腕章３を引き出したときの腕章３と弾性帯状体３１の状態を示す正面図、図８は背面図である。弾性帯状体３１は、腕章３の短手方向の端縁３５に一端を縫い付けられ、他端は収納ポケット２１の奥側の部分３６に縫い付けられている。また、弾性帯状体３１は、収納ポケット２１内に位置しており、引き出し口２から外でははみ出していない。弾性帯状体３１は、腕章装着時には弾性力によって腕章３及び腕部１１を装着者の腕に密着させ、収納時には腕側固定部１２から外すことにより収納ポケット２１に腕章３を自動的に引き込む、という役割を持っている。
【００１９】
図８に示すように、腕章３の裏面には、腕章側固定部１３が設けられている。腕章側固定部１３は腕章先端側面ファスナー１３ａと腕章本体側面ファスナー１３ｂからなる。腕章先端側面ファスナー１３ａは腕側固定部１２の先端側面ファスナー１２ａに対応する位置に配置され、腕章本体側面ファスナー１３ｂは本体側面ファスナー１２ｂに対応する位置に配置され、それぞれの固定部に面ファスナーの他方が固定されている。これにより、腕章側固定部１３は腕側固定部１２に面ファスナーによって確実に固定される。
【００２０】
図９は腕章３の他の例を示す正面図である。図９に示した例では、腕章３は他の腕章、あるいは任意の文字、絵柄などを表示した表示片を挿入できるように、無色透明の透明性を有するやや厚めのプラスチックシート３３ａの３辺をシールし、一端に開口３２を有する帯状の袋部３３を具備しているものでもよい。また、有色透明のシートを用い、あるいは袋部３３の片面若しくは一部のみが外部から透視できるように透明材料で構成し、他の部分を適宜の不透明性材料で構成したものでもよい。開口３２は開放したままでもよいが、好ましくはファスナー（チャック）３４あるいはボタンを設ける等して開閉自在に閉鎖できるようにしてもよい。
【００２１】
なお、本実施例では、弾性帯状体３１を２本設けているが、１本もしくは１枚の幅広の弾性帯状体とすることもできる。あるいは、幅広の弾性帯状体を伸長させたときに図６の状態になり、収納したときに図３の状態になる長さにして、弾性帯状体３１と腕章３を一体化した腕章とすることもできる。この場合、腕章の文字は、伸長したときの状態で通常の字体となるように印刷すればよい。あるいは、腕章３を比較的硬質の材料で形成し、収納ポケット２１を同じく比較的硬質の材料で円弧状のガイドとして形成し、その円弧状のガイド形状に沿って収納ポケット２１から出し入れするように構成することも可能である。この場合、弾性帯状体３１がなくとも、軽く押し込んで腕章３を収納することが可能である。その際、腕章３を引き出し方向の終端部と前記ガイドとして形成された収納ポケット２１の開口部の手前に両者がかみ合うストッパを設け、腕章３を引き出したときに収納ポケット２１から脱落しないように構成する必要がある。このストッパが連結手段として機能するからである。
【実施例２】
【００２２】
実施例２は上着の胸部に識別票を収納可能に取り付けた例である。図１０は本実施例２に係る上着としての仕事着の要部正面図で識別票４１が表に出ている状態を示す正面図、図１１は識別票４１が胸ポケット４２内に収納された状態を示す正面図である。また、図１２は図１０の胸ポケット４２内の状態を示す正面図、図１３は図１１の胸ポケット４２内の状態を示す正面図である。
【００２３】
図１２および図１３に示すように上着としての仕事着１の胸部４０には、胸ポケット４２が設けられている。胸ポケット４２の開口部４３の上部には、図１１および図１３に示すように胸側固定部４４が設けられ、メスの面ファスナーが胸側固定部４４に取り付けられている。胸側固定部４４に固定される識別票４１は、図１３に示すように非使用時には胸ポケット４２内に収納されている。また、図１２に示すように識別票４１の下部には、実施例１と同様の弾性帯状体３１の一端が２本取り付けられ、他端は胸ポケット４２内の最下部４５に縫い付けられている。識別票４１の裏側の胸側固定部４４と対応する個所には、識別票側固定部４６が設けられている。識別票側固定部４６には、胸側固定部４４に取り付けられたメスの面ファスナーと対となるオスの面ファスナーが取り付けられている。
【００２４】
このように仕事着１の胸部４０を構成すると、識別票４１を胸ポケット４２内に収納し、他者から識別票４１の内容が見えないようにしたとき、図１１に示すように仕事着１の胸部４０の胸ポケット４２の開口部４３の上に胸側固定部４４が見えるだけである。このとき、図１３に示すように識別票４１は弾性帯状体３１の弾性力により胸ポケット４２内に収まっている。この状態から仕事に戻って識別票４１を胸ポケット４２から引き出し、図１２に示すように識別票４１の識別票側固定部４６のオスの面ファスナーを胸側固定部４４のメスの面ファスナーに押し付けると、識別票４１は胸側固定部４４に固定される。この状態を外部から見ると図１０のようになり、識別票４１だけが胸部４０に表示される。識別票４１が不要なとき、あるいは外す必要があるときは、識別票４１を胸側固定部４４から剥がせば、弾性帯状体３１の弾性力により、図１３に示すように再び胸ポケット４２内に自動的に収納される。
【００２５】
このように構成すると、識別票４１を紛失するおそれがなく、必要なときのみ引き出して仕事着１の胸部４０に表示することができる。
【００２６】
なお、実施例２においても胸側固定部４４と識別票側固定部４６は、オス・メスの面状ファスナーの組み合わせで固定するようになっているが、実施例１と同様に面ファスナーに代えてボタンのように離脱可能に固定できるものであればよい。また、胸ポケット４２の開口部４３も、必要に応じて開口部４３を開閉可能に閉鎖できるファスナー、ボタン、ホックなどを取り付け閉鎖可能に構成してもよい。
【００２７】
なお、実施例１および２では、上着として仕事着１を例にとって説明したが、上着には、仕事着１の他に、例えば作業着、ジャンパー、ユニフォーム、イベント用のウェア、スキーウェアなどが含まれる。イベント用のウェアでは、イベントのスタッフが着用するが、そのスタッフの役割、係りなどを表示するのに使用され、スキーウェアでは腕に巻き、あるいは首からぶら下げていたリフト利用券を図９に示したような腕章３の袋部３３に入れて使用することができる。
【００２８】
以上のように、本実施形態によれば、次のような効果を奏する。なお、以下の説明では、特許請求の範囲における各構成要素と本実施形態の各部について対応を取り、両者の用語が異なる場合には後者をかっこ書きで示し、両者の対応関係を明確にした。
【００２９】
（１）本実施形態によれば、外部認識票（腕章３、識別票４１）を収納するための収納部（収納ポケット２１、胸ポケット４２）を有する上着（仕事着１）において、前記外部認識票（腕章３、識別票４１）を前記収納部（収納ポケット２１、胸ポケット４２）に連結する連結手段（弾性帯状体３１）と、前記外部認識票（腕章３、識別票４１）を前記収納部（収納ポケット２１、胸ポケット４２）に導き入れる導入手段（弾性帯状体３１）と、前記外部認識票（腕章３、識別票４１）を前記収納部（収納ポケット２１、胸ポケット４２）から引き出したときに前記連結手段（弾性帯状体３１）によって連結された状態で固定する固定手段（腕側固定部１２、腕章側固定部１３）と、を備えているので、外部認識票（腕章３、識別票４１）を、使用時には第三者が視認できる位置に固定し、非使用時には紛失することのなく第三者が視認できない位置に収納することができる。
【００３０】
（２）本実施形態によれば、前記収納部が前記上着（仕事着１）の腕部１１に設けられた収納ポケット２１であり、前記連結手段が前記外部認識票（腕章３、識別票４１）と前記収納部（収納ポケット２１）の奥側の部分３６とを繋げる弾性帯状体３１であり、前記導入手段が前記外部認識票（腕章３、識別票４１）を前記収納部（収納ポケット２１）の奥側に引き込む前記弾性帯状体３１であるので、前記外部認識票（腕章３、識別票４１）を収納する際に当該外部認識票（腕章３、識別票４１）を紛失することなく、弾性帯状体３１の弾性力によって自動的に収納部（収納ポケット２１）内に導入し、収納することができる。
【００３１】
（３）本実施形態によれば、前記外部認識票が腕章３であるので、非使用時には腕章３を腕部１１に収納し、使用時に引き出して使用することができ、腕章３に水が溜まり、あるいは塵や埃が舞うこともない。
【００３２】
（４）本実施形態によれば、前記腕章３が表示片（他の腕章、あるいは任意の文字、絵柄などを表示した片々）を収納可能な袋部３３を備え、前記袋部３３の表側が透明性を有する部材（プラスチックシート３３ａ）からなるので、表示片を入れ替えることにより、１つの上着（仕事着１）様々な用途に使用することができる。
【００３３】
（５）本実施形態によれば、前記収納部が前記上着（仕事着１）の腕部１１に設けられた収納ポケット２１であり、前記連結手段および前記導入手段が、前記外部認識票（腕章３、識別票４１）が嵌まり込んで前記収納部（収納ポケット２１）の奥側まで案内するガイド（比較的硬質の材料で形成された収納ポケット２１）なので、ガイドに沿って容易に外部認識票を収納部（収納ポケット２１）内に導入することができる。
【００３４】
（６）本実施形態によれば、前記固定手段が、前記収納部（収納ポケット２１）の開口部（引き出し口２）から離れた位置に設置された先端側固定部（先端側面ファスナー１２ａ）と、前記開口部（引き出し口２）の側から前記先端側固定部（先端側面ファスナー１２ａ）の側に渡って設置された本体側固定部（本体側面ファスナー１２ｂ）と、前記先端側固定部（先端側面ファスナー１２ａ）および前記本体側固定部（本体側面ファスナー１２ｂ）に固定される前記外部認識票の先端側固定部（腕章先端側面ファスナー１３ａ）および本体側固定部（腕章本体側面ファスナー１３ｂ）と、からなるので、対応する固定部（腕側固定部１２および腕章側固定部１３）間で固定することにより、前記外部認識票を仕事着１の外部から視認可能な位置に確実に固定することができる。
【００３５】
（７）本実施形態によれば、前記収納部が前記上着（仕事着１）の胸部４０に設けられた胸ポケット４２であり、前記連結手段が前記外部認識票（識別票４１）と前記収納部（胸ポケット４２）の奥側の部分（最下部４５）とを繋げる弾性帯状体３１であり、前記導入手段が前記外部認識票（識別票４１）を前記収納部（胸ポケット４２）の奥側に引き込む前記弾性帯状体３１なので、外部認識票（識別票４１）の非使用時には、弾性帯状体３１の弾性力によって外部認識票（識別票４１）を自動的に引き込むことが可能になり、当該外部認識票（識別票４１）を紛失することはなく、また、外部認識票（識別票４１）に水が溜まり、あるいは塵や埃が舞うこともない。
【００３６】
（８）本実施形態によれば、前記固定手段が前記胸ポケット４２の開口部４３の上側に設けられた胸側固定部４４と、前記外部認識票（識別票４１）の裏面に設けられた外部認識票側固定部（識別票側固定部４６）とからなるので、外部認識票（識別票４１）を胸ポケット４２から引き出したすぐの位置で外部認識票（識別票４１）を固定することができる。
【００３７】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３８】
１  仕事着（上着）
２  開口部
３  腕章（外部認識票）
１１  腕部
１２  腕側固定部（固定手段）
１２ａ  先端側面ファスナー（先端側固定部）
１２ｂ  本体側面ファスナー（本体側固定部）
１３  腕章側固定部（固定手段）
１３ａ  腕章先端側面ファスナー（先端側固定部）
１３ｂ  腕章本体側面ファスナー（本体側固定部）
２１  収納ポケット（収納部）、ガイド（比較的硬質の材料で形成された収納ポケット）
３１  弾性帯状体（連結手段、導入手段）
３３  袋部
３３ａ  プラスチックシート（透明性を有する部材）
３６  奥側の部分
４０  胸部
４１  識別票（外部認識票）
４２  胸ポケット
４３  開口部
４４  胸側固定部（固定手段）
４５  最下部（奥側の部分）
【図１】
2017179618.tif 000003
【図２】
2017179618.tif 000004
【図３】
2017179618.tif 000005
【図４】
2017179618.tif 000006
【図５】
2017179618.tif 000007
【図６】
2017179618.tif 000008
【図７】
2017179618.tif 000009
【図８】
2017179618.tif 000010
【図９】
2017179618.tif 000011
【図１０】
2017179618.tif 000012
【図１１】
2017179618.tif 000013
【図１２】
2017179618.tif 000014
【図１３】
2017179618.tif 000015